(57)【要約】【課題】コストの増加を抑制して水深を検出する。【解決手段】防水ケースに収納された撮像装置を入水すると、リアケースに形成した内部及び外部を貫通する水圧検知窓から受圧板が水圧を受ける。水圧を受けた受圧板が押圧されると、支持軸及び連結部材を介して接触部材も押圧を受ける。押圧を受けた接触部材は、ヒンジ部を支点として、傾斜連結部が歪曲して、接触操作部が撮像装置のタッチパネル部に対して接近する。この際、撮像装置では、静電容量変化量検出部が、接触部材の接触操作部の接近よりタッチパネル部と接触操作部との間の静電容量の変化量を検出し、水深検出部が、水深情報保持部が保持する水深に対応する静電容量の変化量に基づき、検出した静電容量の変化量から水深を検出することができる。【選択図】図４
2013238675.tif 000002
【特許請求の範囲】
【請求項１】
静電容量方式で操作入力を検知する操作検知部と、前記操作検知部が検知する静電容量の変化量に基づき水深を検出する水深検出部とを備える電子機器を収納する筐体部と、
前記筐体部内に設けられ、一端部が前記筐体部に収納された電子機器の接地領域と容量結合し、他端部が前記筐体部に収納された電子機器の前記操作検知部と対向する接触部材と、
前記筐体部に外部から内部に貫通して往復自在に設けられ、水中環境からの水圧に応じて前記接触部材の前記他端部を前記筐体部に収納された電子機器の前記操作検知部側に押圧して、前記接触部材の前記他端部と前記筐体部に収納された電子機器の前記操作検知部との距離を変化させる受圧部材と、
を有する防水ケース。
【請求項２】
前記受圧部材は、前記筐体部に開口された水深検知窓を内側から覆う受圧板と、前記受圧板と接続された支持軸と、前記支持軸と一端が接続されると共に、他端が前記接触部材の前記一端部と接続された連結部材とを備える請求項１記載の防水ケース。
【請求項３】
前記受圧板は、前記筐体部の前記水深検知窓の周縁部と内側から蛇腹状の仕切り部材と、前記仕切り部材の外側に設けられた弾性部材とでそれぞれ接続されている請求項２記載の防水ケース。
【請求項４】
前記接触部材は、前記一端部と前記他端部との間に、前記筐体部に収納された前記電子機器の角部と接触するヒンジ部が一体的に形成されており、
前記受圧部材により前記他端部が押圧されると、前記接触部材は前記ヒンジ部を支点として歪曲する請求項１記載の防水ケース。
【請求項５】
前記接触部材は導電性材料を含む請求項１記載の防水ケース。
【請求項６】
静電容量方式で操作入力を検知する操作検知部と、
水中環境からの水圧に応じて前記操作検知部との距離が変化する接触部材を備える防水ケースに収納された際に、前記接触部材の一端部と容量結合する接地領域と、
前記防水ケースが備える前記接触部材の他端部と前記操作検知部との距離の変化に基づき、前記操作検知部が検知する静電容量の変化量を検出する変化量検出部と、
前記変化量検出部が検出した前記静電容量の変化量に基づき、水深を検出する水深検出部と、
を有する電子機器。
【請求項７】
前記操作検知部はタッチパネルである請求項６記載の電子機器。
【請求項８】
画像を表示する表示部と、
前記水深検出部が検出した水深を前記表示部に表示させる水深の表示画像を生成する画像生成部と、
をさらに有する請求項６記載の電子機器。
【請求項９】
筐体部と、前記筐体部内に設けられた接触部材と、前記筐体部に外部から内部に貫通して往復自在に設けられ、水中環境からの水圧に応じて前記接触部材を内部側に押圧する受圧部材と、を有する防水ケースと、
前記防水ケースの前記筐体部に収納されて、前記接触部材の一端部と容量結合する接地領域と、前記接触部材の他端部と対向する静電容量方式で操作入力を検知する操作検知部と、前記受圧部材により押圧された前記接触部材の他端部と前記操作検知部との距離の変化に基づき、前記操作検知部が検知する静電容量の変化量を検出する変化量検出部と、前記変化量検出部が検出した前記静電容量の変化量に基づき、水深を検出する水深検出部と、を有する電子機器と、
を有する水深検出装置。
【発明の詳細な説明】
【技術分野】
【０００１】
本技術は、防水ケース、電子機器及び水深検出装置に関する。
【背景技術】
【０００２】
電子機器を内部に収納して電子機器の水中等における使用を可能にする防水ケースがある。このように防水ケースに収納された電子機器である、例えば、デジタルカメラは、水中撮影等が可能となる（例えば、特許文献１参照）。
【０００３】
ところで、水中での電子機器の利用には、防水ケースと共に水深計が具備される場合がある（例えば、特許文献２参照）。水深計により、ユーザは、電子機器の水面からの深さの位置が分かり、例えば、防水ケースの強度が保たれなかったり、または、人体に悪影響が現れるような危険水深にいること等を把握することが可能となる。
【先行技術文献】
【特許文献】
【０００４】
【特許文献１】特開２００９−０３７１３６号公報
【特許文献２】特開２０１１−０４９９４８号公報
【発明の概要】
【発明が解決しようとする課題】
【０００５】
しかし、水深計を具備する場合には、新たな構成が必要になり、場合によってはその構成が複雑となり、コストが増加してしまうという問題点があった。
【０００６】
本技術は、このような点に鑑みてなされたものであり、コストの増加を抑制して水深を検出する防水ケース、電子機器及び水深検出装置を提供することを目的とする。
【課題を解決するための手段】
【０００７】
上記課題を解決するために、防水ケースは、筐体部と、接触部材、受圧部材を有する。筐体部は、静電容量方式で操作入力を検知する操作検知部と、操作検知部が検知する静電容量の変化量に基づき水深を検出する水深検出部とを備える電子機器を収納する。接触部材は、筐体部内に設けられ、一端部が筐体部に収納された電子機器の接地領域と容量結合し、他端部が筐体部に収納された電子機器の操作検知部と対向する。受圧部材は、筐体部に外部から内部に貫通して往復自在に設けられ、水中環境からの水圧に応じて接触部材の他端部を筐体部に収納された電子機器の操作検知部側に押圧して、接触部材の他端部と筐体部に収納された電子機器の操作検知部との距離を変化させる。
【０００８】
また、上記課題を解決するために、電子機器は、操作検知部と、接地領域、変化量検出部、水深検出部を有する。操作検知部は静電容量方式で操作入力を検知する。接地領域は、水中環境からの水圧に応じて操作検知部との距離が変化する接触部材を備える防水ケースに収納された際に、接触部材の一端部と容量結合する。変化量検出部は、防水ケースが備える接触部材の他端部と操作検知部との距離の変化に基づき、操作検知部が検知する静電容量の変化量を検出する。水深検出部は、変化量検出部が検出した静電容量の変化量に基づき、水深を検出する。
【０００９】
また、上記課題を解決するために、上記の防水ケースに上記の電子機器が収納された水深検出装置が提供される。
【発明の効果】
【００１０】
上記の防水ケース、電子機器及び水深検出装置によれば、水深を検出できる。
【図面の簡単な説明】
【００１１】
【図１】実施の形態に係る撮像装置の外観の一例を示す図である。
【図２】実施の形態に係る撮像装置を収納する防水ケースの内部構造の一例を示す図である。
【図３】実施の形態に係る撮像装置を収納する防水ケースの外観の一例を示す図である。
【図４】実施の形態に係る撮像装置を収納する防水ケースの水圧検知機構の一例を示す図である。
【図５】実施の形態に係る撮像装置のハードウェア構成の一例を示す図である。
【図６】実施の形態に係る撮像装置が備える機能構成の一例を示す図である。
【図７】タッチパネル部までの距離及び水深に対応する静電容量の変化量の一例を示す図である。
【図８】実施の形態に係る撮像装置で実行される水深表示処理を示すフローチャートである。
【図９】実施の形態に係る撮像装置で検出された水深の表示例を示す図である。
【発明を実施するための形態】
【００１２】
実施の形態に係る防水ケースは、筐体部と、筐体部内に設けられた接触部材と、筐体部に外部から内部に貫通して往復自在に設けられ、水中環境からの水圧に応じて接触部材を内部側に押圧する受圧部材とを有する。
【００１３】
また、防水ケースの筐体部に電子機器を収納すると、防水ケースの接触部材の一端部が接地領域と容量結合し、防水ケースの接触部材の他端部が静電容量方式で操作入力を検知する操作検知部と対向する。
【００１４】
このように防水ケースに収納した電子機器（水深検出装置）を入水させると、防水ケースの受圧部材が水圧により接触部材の他端部を押圧して当該他端部と操作検知部との距離が変化する。これにより、電子機器は、変化量検出部が操作検知部に検知された静電容量の変化量を検出し、水深検出部が静電容量の変化量に基づき、水深を検出できるようになる。
【００１５】
なお、本実施の形態では、電子機器の一例として撮像装置であるデジタルスチルカメラの場合について説明する。撮像装置としてデジタルビデオカメラも適用することができる。このような撮像装置では静電容量方式のタッチパネルを操作検知部として利用することが可能である。また、電子機器は、このような撮像装置に限らず、静電容量方式の操作入力を検知する操作検知部を備えるような機器（例えば、携帯ゲーム機器、電子書籍端末等）に適用することができる。
【００１６】
以下、実施の形態について図面を参照して具体的に説明する。
【００１７】
まず、撮像装置の外観について図１を用いて説明する。
【００１８】
図１は、実施の形態に係る撮像装置の外観の一例を示す図である。
【００１９】
なお、図１（Ａ）は撮像装置１００の正面側（撮像レンズ１１ａが備えられた側）を、図１（Ｂ）は撮像装置１００の背面側（撮像画像を表示するディスプレイ部１７が備えられた側）の斜視図をそれぞれ図示している。
【００２０】
撮像装置１００は、外装を構成する筐体部１０を有する。
【００２１】
筐体部１０の正面側の上部には、図１（Ａ）に示すように、レンズ機構１１と、このレンズ機構１１に対して横並びに位置するフラッシュ機構１２とが設けられている。なお、レンズ機構１１の撮像レンズ１１ａから入力される光に基づいて被写体の撮像信号を形成する図示しない撮像機構が内蔵されている。このような撮像機構は、レンズ機構１１の光軸上の後方に配置されている。
【００２２】
筐体部１０の正面側の下部には、図１（Ａ）中において筐体部１０に対し上下にスライドして、撮像レンズ１１ａ並びにフラッシュ機構１２の発光部を開閉するレンズカバー１６が設けられている。図１（Ａ）に示すように、レンズカバー１６が下方向にスライドされてレンズ開放位置にあるときには、撮像レンズ１１ａとフラッシュ機構１２の発光部とは共に開かれ、撮像操作が可能となる。一方、レンズカバー１６が上方向にスライドされてレンズ閉鎖位置にあるときには、撮像レンズ１１ａとフラッシュ機構１２の発光部とは共に閉じられ、撮像操作が不能となる。
【００２３】
筐体部１０の上面部には、電源のオン又はオフを行う電源ボタン１３と、撮像を行うための撮像ボタン１４と、広角側又は望遠側にズーム操作を行うためのズームレバー１５とが設けられている。
【００２４】
また、筐体部１０の背面側には、図１（Ｂ）に示すように、撮像機構で撮像され、または、既に撮像装置１００のメモリ部に記憶されている画像及び動画等を表示するディスプレイ部１７が設けられている。当該ディスプレイ部１７に対して、ユーザからのタッチ入力を受け付けるタッチパネル部１８がさらに設けられている。
【００２５】
ディスプレイ部１７は、筐体部１０の背面を大きく占有するように形成されている。ディスプレイ部１７は、例えば、液晶ディスプレイ、有機ＥＬ（Electro-Luminescence）ディスプレイ等の表示装置を備えている。このようなディスプレイ部１７に透明なシート状のタッチパネル部１８（操作検知部）が貼り合わされている。タッチパネル部１８は、静電容量方式により外部からの操作入力の入力位置を検知する。なお、静電容量方式は、相互容量型、自己容量型を適用することができる。このような検知位置に応じた撮像、再生、編集等にまつわる撮像装置１００の動作並びに設定が各種行われる。
【００２６】
また、撮像装置１００は、水中での撮像を行う場合には、水中モードに設定される。この水中モードにおいて、ディスプレイ部１７には、撮像装置１００の操作用のアイコン１７ａが複数表示される。例えば、ディスプレイ部１７の（図１中右側）側部には、アイコン１７ａが複数配列して表示される。
【００２７】
アイコン１７ａは、例えば、撮像画像の再生ボタンアイコン、水中モードを設定する水中モード設定ボタン、動画撮影か、静止画撮影かを設定する撮像モード設定ボタン、フラッシュ機構１２の動作モードを設定するフラッシュモード設定ボタン、マクロ撮像か通常撮影かを設定するマクロモード設定ボタン等である。
【００２８】
さらに、撮像装置１００には、筐体部１０の側面部に、後述する記録媒体１１９（図５参照）が内部に挿抜可能に格納される記録媒体格納部１９が備えられている。
【００２９】
なお、このような構成を有する撮像装置１００の筐体部１０の内部の外周部には接地回路に接続された後述するアース板１０ａ（図４参照）が設置されており、筐体部１０に内蔵されている電子部品等は当該アース板１０ａに電気的に接続されている。
【００３０】
次に、水中での撮像を行う際に撮像装置１００を収納するための防水ケースについて図２及び図３を用いて説明する。
【００３１】
図２は、実施の形態に係る撮像装置を収納する防水ケースの内部構造の一例を示す図、図３は、実施の形態に係る撮像装置を収納する防水ケースの外観の一例を示す図である。
【００３２】
なお、図３（Ａ）は防水ケース２０の正面側（レンズ窓３１が備えられたフロントケース３０側）を、図３（Ｂ）は防水ケース２０の背面側（視認用窓４２が備えられたリアケース４０側）の正面図をそれぞれ図示している。
【００３３】
防水ケース２０は、撮像装置１００を着脱可能に収納することができる。このような防水ケース２０は、図２に示すように、ヒンジ部３７を介して回動可能に連結されたフロントケース３０及びリアケース４０と、図３に示すように、撮像装置１００を内部に収納した状態のフロントケース３０及びリアケース４０を綴じる留め機構３８とを有している。なお、フロントケース３０及びリアケース４０は、それぞれ有底箱形状に形成され、内部にそれぞれ収納凹部を有している。これら収納凹部を対向させてフロントケース３０及びリアケース４０を重ね合わせることで、内部に撮像装置１００を収納可能な収納部が設けられている。また、フロントケース３０及びリアケース４０の材質としては、例えば、ＰＣ（ポリカーボネート）が用いられる。フロントケース３０及びリアケース４０の材質は、これに限定されるものではなく、その他の合成樹脂であってもよく、合成樹脂以外にもアルミニウム合金等の金属であってもよい。また、内部の構造が見えるように、材質として透明なＰＣ等であってもよく、透明、半透明或いは不透明な他の合成樹脂であってもよい。
【００３４】
フロントケース３０には、図２及び図３（Ａ）に示すように、略四角形状のレンズ窓３１が設けられている。レンズ窓３１は、防水ケース２０のフロント収納凹部に撮像装置１００が収納された際に、収納された撮像装置１００のレンズ機構１１の撮像レンズ１１ａと対向する位置に設けられている。また、レンズ窓３１の周囲には、外部の光が自然な形でレンズ機構１１に入力するようにガラス板３１ａが装着されている。
【００３５】
また、フロントケース３０の上面部には、防水ケース２０側の電源ボタン３４と撮像ボタン３５とが設けられている。防水ケース２０側の電源ボタン３４及び撮像ボタン３５は、防水ケース２０のフロント収納凹部に収納された撮像装置１００の電源ボタン１３及び撮像ボタン１４にそれぞれ対応する位置に設けられている。これにより、防水ケース２０側の電源ボタン３４に対して押下操作を行うと、撮像装置１００側の電源ボタン１３にも押下操作が行われる。また、防水ケース２０側の撮像ボタン３５に対して押下操作を行うと、撮像装置１００側の撮像ボタン１４にも押下操作が行われる。
【００３６】
リアケース４０には、図２及び図３（Ｂ）に示すように、防水ケース２０の収納部に収納された撮像装置１００のディスプレイ部１７を視認するための視認用窓４２が設けられている。
【００３７】
視認用窓４２は、防水ケース２０の収納部に撮像装置１００が収納された際に、ディスプレイ部１７と対向する位置に設けられている。視認用窓４２は、撮像装置１００が防水ケース２０の収納部に収納されていても、撮像装置１００のディスプレイ部１７を外部から視認することを可能とする。
【００３８】
更に、リアケース４０の上方（図３（Ｂ）中左上側）及び視認用窓４２の側方（図３（Ｂ）中右側）には、操作ボタン４１ａ及び複数の操作ボタン４３ａが設けられている。これらの操作ボタン４１ａ，４３ａは、図２に示すように、アイコン操作入力部４１，４３を構成する一部である。当該操作ボタン４１ａ，４３ａを押下すると、防水ケース２０に収納された撮像装置１００のディスプレイ部１７に表示されるアイコン１７ａを撮像装置１００の外部から操作することができる。このようなアイコン操作入力部４１，４３は、アイコン１７ａに対応してそれぞれ設けられている。
【００３９】
また、リアケース４０には、水圧を検知するための後述する水圧検知部５０の水圧検知窓４４が視認用窓４２の図３（Ｂ）中左下に設けられている。なお、このような水圧検知部５０の水圧検知窓４４は図３（Ｂ）の位置及び１か所に限定されるものではない。水圧検知部５０の詳細については後述する。
【００４０】
次に、防水ケース２０に設けられた水圧検知部５０について図４を用いて説明する。
【００４１】
図４は、実施の形態に係る撮像装置を収納する防水ケースの水圧検知機構の一例を示す図である。
【００４２】
なお、図４はそれぞれ図３（Ｂ）の一点鎖線Ｘ−Ｘによる断面図であって、図４（Ａ）は水圧を受けていない通常の場合の、図４（Ｂ）は水圧を受けている場合の水圧検知部５０をそれぞれ示している。
【００４３】
リアケース４０には、リアケース４０に形成された内部及び外部を貫通する水圧検知窓４４に対して、受圧板５１、支持軸５２、連結部材５３（以上をまとめて受圧部材）、接触部材５４を備える水圧検知部５０を有する。
【００４４】
受圧板５１は、リアケース４０の内側から水圧検知窓４４を塞ぐように仕切り部材４４ａを介して設けられている。仕切り部材４４ａは、円柱状であって蛇腹状をなしており、水圧検知窓４４を内側から取り囲むように設けられ、リアケース４０の内部と外部との区切りを維持した状態で上下に伸縮することができる。また、受圧板５１は、仕切り部材４４ａの外側にさらに弾性部材４４ｂが設けられている。弾性部材４４ｂは、例えば、受圧板５１が図４中下方に伸びた場合でも、弾性力により受圧板５１を元に位置に戻すことができる。
【００４５】
支持軸５２は、一方の端部が受圧板５１に接続されて、他方の端部に連結部材５３が接続されている。支持軸５２は、受圧板５１と共に図４中上下動して、受圧板５１が受けた水圧を連結部材５３に伝える。
【００４６】
連結部材５３は支持軸５２が接続された連結部５３ａと、後述する接触部材５４と結合する結合部５３ｂとを備える。このような連結部材５３は、支持軸５２の下方への移動により、接触部材５４に対して下方に押圧する。
【００４７】
接触部材５４は、連結部材５３の結合部５３ｂと結合する接触操作部５４ａと、傾斜連結部５４ｂと、ヒンジ部５４ｃと、機器接触部５４ｄと、保持部５４ｅとがそれぞれ一体的に連結して構成されている。
【００４８】
接触操作部５４ａ（接触部材の他端部）は、防水ケース２０内に収納された撮像装置１００のタッチパネル部１８（及びディスプレイ部１７）と対向配置されており、水圧等を受けていない通常時には、タッチパネル部１８に対して所定の距離を空けて維持されている。また、接触操作部５４ａとタッチパネル部１８との距離をＸとする。
【００４９】
機器接触部５４ｄ（接触部材の一端部）は、防水ケース２０内に収納された撮像装置１００の筐体部１０内に設置されたアース板１０ａと容量接続可能な位置に配置されている。
【００５０】
保持部５４ｅは、リアケース４０内に一体的に形成されており、一体的に連結されている接触操作部５４ａと、傾斜連結部５４ｂ、ヒンジ部５４ｃ、機器接触部５４ｄを保持する。
【００５１】
このような接触部材５４は、導電性を有する材料が含有されて、弾性変形可能に構成されている。
【００５２】
次いで、このような構成を有する水圧検知部５０の動作機構について説明する。
【００５３】
水圧検知部５０は、撮像装置１００が入水しておらず外部環境から圧力を受けていない通常時には、図４（Ａ）に示すように、水圧検知窓４４に対して受圧板５１が最上部に位置しており、接触部材５４の接触操作部５４ａとタッチパネル部１８とが一定の距離に維持されている。
【００５４】
この状態から、例えば、水中撮像のために撮像装置１００を入水させて、撮像装置１００を水中下方に移動させていくと、撮像装置１００に対する水圧が上昇して、水圧検知窓４４から水圧を受けた受圧板５１は図４中下方に移動する。
【００５５】
受圧板５１が下方に移動することにより、支持軸５２を介して、連結部材５３も下方に移動する。さらに、下方に移動する連結部材５３により接触部材５４も下方に押圧される。
【００５６】
接触部材５４が、このようにして押圧されると、ヒンジ部５４ｃが撮像装置１００に対して支点となり、傾斜連結部５４ｂが歪曲して、接触操作部５４ａが撮像装置１００のタッチパネル部１８に対して接近する。受圧板５１がさらに水圧を受けると、図４（Ｂ）に示すように、接触操作部５４ａは撮像装置１００のタッチパネル部１８に接触するようになる。
【００５７】
なお、撮像装置１００のタッチパネル部１８と、接触部材５４の接触操作部５４ａとの間には静電容量が発生している。これは撮像装置１００のアース板１０ａに導電性部材の接触部材５４の機器接触部５４ｄを容量結合させることで、アース板１０ａと接触部材５４の接触操作部５４ａとの間のインピータンスが低くなったことに起因する。これにより、接触部材５４の接触操作部５４ａがタッチパネル部１８に近づく場合には、タッチパネル部１８から見た静電容量の変化として捉えることが可能となり、タッチパネル部１８に対する接触部材５４の接触操作部５４ａの接触を精度よく検知することが可能となる。
【００５８】
一方、例えば、撮像装置１００が水中で上昇して、その後水中から脱する過程において、受圧板５１が受ける水圧が弱まり、接触部材５４はヒンジ部５４ｃを支点にして弾性力により接触操作部５４ａが上方に移動して、連結部材５３を押し上げる。連結部材５３は支持軸５２を介して受圧板５１を押し上げて、水圧検知部５０が通常時の状態に戻る。
【００５９】
なお、図２に示した、防水ケース２０に設けられているアイコン操作入力部４１，４３も水圧検知部５０が備える連結部材５３及び接触部材５４を備えており、連結部材５３の連結部５３ａには、操作ボタン４１ａ，４３ａがそれぞれ接続されている。操作ボタン４１ａ，４３ａがそれぞれ押圧されると、上記と同じ機構により、接触部材５４が撮像装置１００のディスプレイ部１７に表示されているアイコン１７ａを押圧することにより、アイコン１７ａに対する操作入力を実行することが可能となる。
【００６０】
次に、このような防水ケース２０に収納される撮像装置１００が備えるハードウェア構成の一例について図５を用いて説明する。
【００６１】
図５は、実施の形態に係る撮像装置のハードウェア構成の一例を示す図である。
【００６２】
撮像装置１００は、図５に示すように、光学ブロック１１１、撮像素子１１２、Ａ／Ｄ変換部１１３、画像情報処理部１１４、表示処理部１１５、操作受付部１１６、タッチパネル制御部１１７及び記録媒体制御部１１８を備える。さらに、光学ブロック１１１、撮像素子１１２、Ａ／Ｄ変換部１１３、画像情報処理部１１４、表示処理部１１５、操作受付部１１６、タッチパネル制御部１１７及び記録媒体制御部１１８と接続して、各部と信号の入出力を行う制御部２００を備える。
【００６３】
光学ブロック１１１は、被写体からの光を撮像素子１１２に集光するための撮像レンズ１１ａ（図１（Ａ））、撮像レンズ１１ａを移動させて焦点合わせ、ズーミング、光軸調整（手ぶれ補正）を行うための駆動機構、シャッタ機構、アイリス機構等を具備している。
【００６４】
撮像素子１１２は、例えば、ＣＣＤ（Charge Coupled Device）型、ＣＭＯＳ（Complementary Metal Oxide Semiconductor）型等の固体撮像素子である。このような撮像素子１１２は、制御部２００から出力されるタイミング信号に基づいて駆動され、被写体からの入射光を電気信号に変換する。撮像素子１１２では、被写体の画像が例えばＲＧＢ（Red，Green，Blue）の３原色のアナログ画像信号として取り出され、必要に応じて増幅される。
【００６５】
Ａ／Ｄ変換部１１３は、撮像素子１１２から出力されたアナログ画像信号の画像情報を、デジタル画像信号に変換する。
【００６６】
画像情報処理部１１４は、制御部２００からの制御に基づき、Ａ／Ｄ変換部１１３から出力されたデジタル画像信号について、黒レベル補正、ホワイトバランス調節、γ補正等の画像処理を行う。このようにして画像処理が施された画像情報が、表示処理部１１５、（制御部２００を介して）記録媒体制御部１１８等に出力される。例えば、画像情報処理部１１４は、画像処理が施された画像情報について圧縮処理を施し、この圧縮処理が施された画像情報（圧縮画像情報）を制御部２００に出力する。制御部２００は、画像情報処理部１１４から出力された圧縮画像情報を記録媒体１１９に記録媒体制御部１１８から供給させる。また、画像情報処理部１１４は、記録媒体１１９に記録されている圧縮画像情報を記録媒体制御部１１８及び制御部２００を介して取得し、当該圧縮画像情報について伸張処理を施し、この伸張処理が施された画像情報を表示処理部１１５に出力する。なお、後述する表示処理部１１５は画像情報処理部１１４から出力された画像情報をディスプレイ部１７に表示させる。また、圧縮方式として、例えば、ＪＰＥＧ（Joint Photographic Experts Group）方式を採用することができる。
【００６７】
表示処理部１１５は、画像情報処理部１１４から画像情報を受け付けて、当該画像情報をディスプレイ部１７に表示させる。また、表示処理部１１５は、例えば、図１（Ｂ）に示したようなアイコン１７ａ等の操作画面、設定画面、管理画面等に関する画像情報と共に、ＯＳＤ（On-Screen Display）画像に関する情報を制御部２００から受け付ける。この場合、表示処理部１１５は、画像情報処理部１１４からの画像情報と共に、操作画面、ＯＳＤ画像等の画像情報をディスプレイ部１７に表示させる。
【００６８】
操作受付部１１６は、タッチパネル部１８で受け付ける操作入力以外の、例えば、図１（Ａ）に示した、電源ボタン１３、撮像ボタン１４並びにズームレバー１５による操作入力を受け付けて、各操作内容に応じた信号を制御部２００に出力する。
【００６９】
タッチパネル制御部１１７は、タッチパネル部１８における静電容量を監視しており、タッチパネル部１８に対するタッチ入力による静電容量の変化を検知すると、静電容量が変化したタッチ位置等を検出して、制御部２００に出力する。
【００７０】
記録媒体制御部１１８は、制御部２００からの制御に基づき、記録媒体１１９と接続され、記録媒体１１９から出力された画像情報を制御部２００に出力すると共に、各種画像情報を記録媒体１１９に記録させる。
【００７１】
なお、記録媒体１１９は、記録媒体制御部１１８から供給された画像情報を記録する記録デバイスである。記録媒体１１９には、例えば、ＪＰＥＧ形式の画像情報等の各種データが記録される。なお、記録媒体１１９として、例えば、ディスクメモリカード等の半導体メモリや、ＤＶＤ（Digital Versatile Disc）等のリムーバブル記録媒体を用いることができる。また、記録媒体１１９は、撮像装置１００に内蔵させることも、撮像装置１００から着脱可能にさせることも可能である。
【００７２】
制御部２００は、光学ブロック１１１、撮像素子１１２、Ａ／Ｄ変換部１１３、画像情報処理部１１４、表示処理部１１５、操作受付部１１６、タッチパネル制御部１１７及び記録媒体制御部１１８と接続しており、各部と信号の入出力を行って、各部の制御等を行う。
【００７３】
このような制御部２００は、主制御部２００ａ、メモリ部２００ｂ、グラフィック処理部２００ｃ及び入出力インタフェース２００ｄを備え、各部がバス２００ｅにより相互に接続されている。
【００７４】
主制御部２００ａは、メモリ部２００ｂ等の記憶媒体に記憶された各種プログラムを実行することにより、この撮像装置１００全体を統括的に制御する。主制御部２００ａは、例えば、ＣＰＵ（Central Processing Unit）である。
【００７５】
メモリ部２００ｂには、主制御部２００ａに実行させるＯＳ（Operating System）並びにプログラムの少なくとも一部が一時的に格納される。また、メモリ部２００ｂには、主制御部２００ａによる処理に必要な各種データが格納される。
【００７６】
グラフィック処理部２００ｃには、表示処理部１１５が接続されている。グラフィック処理部２００ｃは、主制御部２００ａからの命令に従って、アイコン１７ａ等の操作画面、設定画面、管理画面等を表示処理部１１５に出力する。
【００７７】
入出力インタフェース２００ｄには、操作受付部１１６、タッチパネル制御部１１７及び記録媒体制御部１１８が接続されている。入出力インタフェース２００ｄは、バス２００ｅを介して主制御部２００ａからの制御信号を記録媒体制御部１１８に通知し、各部からの信号を同様に主制御部２００ａに通知する。
【００７８】
次に、このようなハードウェア構成を有する撮像装置１００が備える機能について図６を用いて説明する。
【００７９】
図６は、実施の形態に係る撮像装置が備える機能構成の一例を示す図である。
【００８０】
なお、図６では、図５に示したハードウェア構成の画像情報処理部１１４と、表示処理部１１５、操作受付部１１６、タッチパネル制御部１１７、記録媒体制御部１１８、制御部２００のみを示しており、他の構成の記載を省略している。
【００８１】
制御部２００は、静電容量情報取得部２１０と、静電容量情報保持部２２０、静電容量変化量検出部２３０（変化量検出部）、水深情報保持部２４０、水深検出部２５０、警告表示判別部２６０、ＯＳＤ画像生成部２７０（画像生成部）、画像記録処理部２８０の機能を有する。
【００８２】
静電容量情報取得部２１０は、タッチパネル制御部１１７からタッチパネル部１８の静電容量に関する情報を取得する。
【００８３】
静電容量情報保持部２２０は、タッチパネル部１８のタッチ入力されていない初期値の静電容量の情報を保持する。
【００８４】
静電容量変化量検出部２３０は、静電容量情報保持部２２０が保持する静電容量（初期値）と、静電容量情報取得部２１０から出力された静電容量とにより静電容量の変化量を検出する。
【００８５】
水深情報保持部２４０は、水深に対応する静電容量の変化量に関する情報を保持する。
【００８６】
ここで、タッチパネル部１８の静電容量の変化量と水深との関係について図７を用いて説明する。
【００８７】
図７は、タッチパネル部までの距離及び水深に対応する静電容量の変化量の一例を示す図である。
【００８８】
なお、図７（Ａ）では、ｘ軸は接触部材５４の接触操作部５４ａのタッチパネル部１８までの距離Ｘを表しており、ｙ軸は当該距離Ｘに対応するタッチパネル部１８の静電容量の変化量を表している。また、図７（Ｂ）では、ｘ軸は水深を表しており、ｙ軸は図７（Ａ）と同様に静電容量の変化量を表している。
【００８９】
また、静電容量の変化量とは、タッチパネル部１８の初期値（例えば、図４（Ａ）の場合）の静電容量に対するものである。
【００９０】
撮像装置１００を水中下方に移動させるに連れて、撮像装置１００は、図４で示したように、水圧検知窓４４から水圧を受けて、接触部材５４の接触操作部５４ａは撮像装置１００のタッチパネル部１８に近づく。
【００９１】
この時の接触部材５４の接触操作部５４ａと撮像装置１００のタッチパネル部１８との距離Ｘに対応するタッチパネル部１８の静電容量の変化を図７（Ａ）は示している。
【００９２】
図７（Ａ）によれば、接触部材５４の接触操作部５４ａがタッチパネル部１８に近づくに連れて、タッチパネル部１８の静電容量の変化量が増加する。これは、接触部材５４の接触操作部５４ａがタッチパネル部１８に近づくことで、タッチパネル部１８と接触操作部５４ａと間の空間が減少し、空間の減少に伴い、静電容量がより減少したものと考えられる。
【００９３】
ここで、接触部材５４の接触操作部５４ａと撮像装置１００のタッチパネル部１８との距離Ｘと水圧との関係について説明する。
【００９４】
タッチパネル部１８までの距離Ｘは、通常時の距離Ｘ（図４（Ａ）参照）から弾性部材４４ｂの伸び量を引くことで得られる。
【００９５】
水圧は弾性部材４４ｂの伸び量に比例するため、弾性部材４４ｂの弾性係数ｋを用いると、水圧（ｋｇ重／ｃｍ2）は、弾性部材４４ｂの伸び量に弾性係数ｋをかけることで得られる。
【００９６】
以上を踏まえると、水深は以下の式により得られる。
【００９７】
水深（ｍ）＝１０×水圧（ｋｇ重／ｃｍ2）
＝１０×弾性係数ｋ×（弾性部材４４ｂの伸び量（ｍｍ））
＝１０×弾性係数ｋ×（通常時の距離Ｘ（ｍｍ）−距離Ｘ（ｍｍ））
【００９８】
このような関係に基づき、例えば、水深が５０ｍ（水圧は５ｋｇ重／ｃｍ2）以上で距離Ｘが０ｍｍになるように接触部材５４及び弾性部材４４ｂの弾性係数ｋを設定し、水深が０〜５０ｍで計測可能とすると、図７（Ｂ）に示されるような特性が得られる。
【００９９】
図７（Ｂ）によれば、水深が深くなるに連れて、タッチパネル部１８の静電容量の変化量が増加する。したがって、この特性からタッチパネル部１８の静電容量の変化量が分かれば、その際の水深を検出することが可能となる。
【０１００】
水深情報保持部２４０は、このような水深に対するタッチパネル部１８の静電容量の変化量の情報が保持されている。
【０１０１】
図６の説明に戻ると、水深検出部２５０は、水深情報保持部２４０が保持する水深と静電容量の変化量の関係から、静電容量変化量検出部２３０が検出したタッチパネル部１８の静電容量の変化量に対応する水深を検出する。
【０１０２】
警告表示判別部２６０は、水深検出部２５０が検出した水深と水深の閾値とを比較する。水深の閾値は、これ以上水深が大きい（深い）場合には、防水ケース２０の強度が耐えられない値、または、人体に悪影響を受ける値等を予め適宜設定することが可能である。水深検出部２５０が検出した水深が閾値よりも小さい（浅い）場合には、警告表示を実行しないことを判別する。一方、水深検出部２５０が検出した水深が閾値よりも大きい（深い）場合には、警告表示を実行することを判別する。
【０１０３】
ＯＳＤ画像生成部２７０は、警告表示判別部２６０の判別結果に基づき、ディスプレイ部１７にＯＳＤ表示させるためのＯＳＤ画像を生成する。例えば、警告表示判別部２６０が警告表示を実行しないことを判別した場合には、水深検出部２５０で検出した水深のみを表示させるためのＯＳＤ画像を生成し、表示処理部１１５に通知する。一方、警告表示判別部２６０が警告表示を実行することを判別した場合には、水深検出部２５０で検出した水深と共に危険水深であることの警告を表示させるためのＯＳＤ画像を生成し、表示処理部１１５に通知する。
【０１０４】
画像記録処理部２８０は、撮像ボタン１４の操作入力を受け付けた操作受付部１１６から画像の画像記録（撮像）要求を受け付ける。画像記録処理部２８０は、当該画像記録要求を受け付けると画像情報処理部１１４から画像情報を取得すると共に、水深検出部２５０から画像記録要求を受け付けた際の水深を取得する。そして、画像記録処理部２８０は、当該画像情報を水深検出部２５０から取得した水深と合わせて、記録媒体制御部１１８から記録媒体１１９に記録させる。
【０１０５】
なお、このような静電容量情報取得部２１０と、静電容量変化量検出部２３０、水深検出部２５０、警告表示判別部２６０、ＯＳＤ画像生成部２７０、画像記録処理部２８０は、主制御部２００ａによって水深表示プログラムが実行されることにより、その処理機能が実現されるようにすることも可能である。
【０１０６】
このような機能を備え、防水ケース２０に収納された撮像装置１００の水深表示処理について図８及び図９を用いて説明する。
【０１０７】
図８は、実施の形態に係る撮像装置で実行される水深表示処理を示すフローチャート、図９は、実施の形態に係る撮像装置で検出された水深の表示例を示す図である。
【０１０８】
なお、図９（Ａ）は水深、図９（Ｂ）は水深及び警告のＯＳＤ表示の一例をそれぞれ表している。
【０１０９】
撮像装置１００は水中撮影を行うために水中モードに切り替えられて防水ケース２０に収納される。水中モードに切り替えられた撮像装置１００は、タッチパネル部１８はディスプレイ部１７に表示するアイコン１７ａに対するアイコン操作入力部４１，４３による操作入力を相互容量型の静電容量方式で検知するようになる。また、水圧に応じた接触部材５４による静電容量の変化量を自己容量型の静電容量方式で検知するようになる。
【０１１０】
このように水中モードに切り替えられた防水ケース２０に収納された撮像装置１００がユーザにより入水される。撮像装置１００は静電容量情報取得部２１０がタッチパネル制御部１１７からタッチパネル部１８の静電容量の情報を取得するごとに以下の処理が実行される。
【０１１１】
［ステップＳ１１］  静電容量変化量検出部２３０は、静電容量情報保持部２２０が保持する通常時における静電容量と、静電容量情報取得部２１０から出力された静電容量とにより静電容量の変化量を検出する。
【０１１２】
［ステップＳ１２］  静電容量変化量検出部２３０は、ステップＳ１１にて検出した結果、静電容量に変化が生じているか否かを判別する。
【０１１３】
静電容量に変化が生じている場合にはステップＳ１３の処理が次に実行され、静電容量に変化が生じていない場合には、図８に示すフローを終了する。
【０１１４】
［ステップＳ１３］  水深検出部２５０は、水深情報保持部２４０が保持する水深に対応する静電容量の変化量に基づき、ステップＳ１１で検出した静電容量の変化量から水深を検出する。
【０１１５】
［ステップＳ１４］  警告表示判別部２６０は、ステップＳ１３で検出した水深が予め設定した水深の閾値を超えているか（深いか）否かを判別する。例えば、防水ケース２０の強度が耐えられる水深として閾値を４０ｍと設定しておく。
【０１１６】
ステップＳ１３で検出した水深が閾値を超えている場合にはステップＳ１５の処理が次に実行され、超えていない場合にはステップＳ１６の処理が次に実行される。
【０１１７】
［ステップＳ１５］  警告表示判別部２６０は、警告表示を実行することを設定する。
【０１１８】
［ステップＳ１６］  ＯＳＤ画像生成部２７０は、ステップＳ１３で検出した水深をＯＳＤ表示するためのＯＳＤ画像の情報を生成する。
【０１１９】
また、ステップＳ１５で警告表示の実行が設定されている場合には、ステップＳ１３で検出した水深の表示と共に警告表示を行うためのＯＳＤ画像の情報を生成する。
【０１２０】
［ステップＳ１７］  ＯＳＤ画像生成部２７０は、ステップＳ１６で生成したＯＳＤ画像を表示処理部１１５に通知する。
【０１２１】
表示処理部１１５は、画像情報処理部１１４から通知された画像情報にＯＳＤ画像生成部２７０から通知されたＯＳＤ画像の情報を付加させてディスプレイ部１７に表示する。
【０１２２】
例えば、ステップＳ１３で検出した水深が閾値を超えてない場合には、ディスプレイ部１７では、図９（Ａ）に示すように、視認用窓４２から撮像装置１００のディスプレイ部１７に表示される撮像画像と共に、「水深２５ｍ」である旨のＯＳＤ画像が表示される。
【０１２３】
また、ステップＳ１３で検出した水深が閾値を超える場合には、ディスプレイ部１７では、図９（Ｂ）に示すように、視認用窓４２から撮像装置１００のディスプレイ部１７に表示される撮像画像と共に、「水深４０ｍ」である旨と警告のＯＳＤ画像が表示される。
【０１２４】
このように防水ケース２０に撮像装置１００を収納すると、防水ケース２０の接触部材５４の機器接触部５４ｄが撮像装置１００のアース板１０ａと容量結合し、接触部材５４の接触操作部５４ａが撮像装置１００のタッチパネル部１８と対向する。
【０１２５】
防水ケース２０に収納された撮像装置１００を入水すると、リアケース４０に形成した内部及び外部を貫通する水圧検知窓４４から受圧板５１が水圧を受ける。水圧を受けた受圧板５１が押圧されると、支持軸５２及び連結部材５３を介して接触部材５４も押圧を受ける。押圧を受けた接触部材５４は、ヒンジ部５４ｃを支点として、傾斜連結部５４ｂが歪曲して、接触操作部５４ａが撮像装置１００のタッチパネル部１８に対して接近する。
【０１２６】
この際、撮像装置１００では、静電容量変化量検出部２３０が、接触部材５４の接触操作部５４ａの接近よりタッチパネル部１８と接触操作部５４ａとの間の静電容量の変化量を検出し、水深検出部２５０が、水深情報保持部２４０が保持する水深に対応する静電容量の変化量に基づき、検出した静電容量の変化量から水深を検出することができる。
【０１２７】
上記のように、防水ケース２０に撮像装置１００を収納して、水深計を別途設ける必要がなく、構成を複雑にすることなく、コストの増加を抑制しつつ、水深を検出することができるようになる。特に、撮像装置１００では、タッチパネル部１８は、ディスプレイ部１７が表示するアイコン１７ａに対する操作入力を相互容量型で、水深を検出するための接触部材５４の接触操作部５４ａによる静電容量の変化を自己相互容量型でそれぞれ検知するようにした。さらに、検出した水深をディスプレイ部１７に表示するようにした。これにより、タッチパネル部１８で、操作入力及び水深の検出を両立させることができ、既設のディスプレイ部１７に水深を表示させることからもコストの削減が実現される。
【０１２８】
また、防水ケース２０の導電性部材の接触部材５４の機器接触部５４ｄを撮像装置１００のアース板１０ａに容量結合させているために、静電容量方式のタッチパネル部１８が接触部材５４の接触操作部５４ａとの距離の変化に応じた静電容量の変化量を精度よく検出することができる。
【０１２９】
なお、上記の処理は、コンピュータに所定のプログラムを実行させることで実現できる。その場合、実現すべき処理内容を記述したプログラムが提供される。処理内容を記述したプログラムは、コンピュータ読み取り可能な記憶媒体に記憶しておくことができる。コンピュータ読み取り可能な記憶媒体には、例えば、磁気記録装置、光ディスク、光磁気記録媒体、半導体メモリがある。磁気記録装置には、ハードディスク装置、フレキシブルディスク（ＦＤ）、磁気テープ（ＭＴ）等がある。光ディスクには、ＤＶＤ、ＤＶＤ−ＲＡＭ(Random Access Memory)、ＣＤ−ＲＯＭ（Compact Disc-Read Only Memory）、ＣＤ−Ｒ（Recordable）、ＣＤ−ＲＷ（ReWritable）等がある。光磁気記録媒体には、ＭＯ（Magneto-Optical disk）等がある。
プログラムを流通させる場合、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにプログラムを転送することもできる。
プログラムを実行するコンピュータは、例えば、可搬型記録媒体に記録されたプログラムまたはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１３０】
なお、本技術は以下のような構成を採ることもできる。
（１）静電容量方式で操作入力を検知する操作検知部と、前記操作検知部が検知する静電容量の変化量に基づき水深を検出する水深検出部とを備える電子機器を収納する筐体部と、
前記筐体部内に設けられ、一端部が前記筐体部に収納された電子機器の接地領域と容量結合し、他端部が前記筐体部に収納された電子機器の前記操作検知部と対向する接触部材と、
前記筐体部に外部から内部に貫通して往復自在に設けられ、水中環境からの水圧に応じて前記接触部材の前記他端部を前記筐体部に収納された電子機器の前記操作検知部側に押圧して、前記接触部材の前記他端部と前記筐体部に収納された電子機器の前記操作検知部との距離を変化させる受圧部材と、
を有する防水ケース。
（２）前記受圧部材は、前記筐体部に開口された水深検知窓を内側から覆う受圧板と、前記受圧板と接続された支持軸と、前記支持軸と一端が接続されると共に、他端が前記接触部材の前記一端部と接続された連結部材とを備える前記（１）記載の防水ケース。
（３）前記受圧板は、前記筐体部の前記水深検知窓の周縁部と内側から蛇腹状の仕切り部材と、前記仕切り部材の外側に設けられた弾性部材とでそれぞれ接続されている前記（２）記載の防水ケース。
（４）前記接触部材は、前記一端部と前記他端部との間に、前記筐体部に収納された前記電子機器の角部と接触するヒンジ部が一体的に形成されており、
前記受圧部材により前記他端部が押圧されると、前記接触部材は前記ヒンジ部を支点として歪曲する前記（１）乃至（３）のいずれかに記載の防水ケース。
（５）前記接触部材は導電性材料を含む前記（１）乃至（４）のいずれかに記載の防水ケース。
（６）静電容量方式で操作入力を検知する操作検知部と、
水中環境からの水圧に応じて前記操作検知部との距離が変化する接触部材を備える防水ケースに収納された際に、前記接触部材の一端部と容量結合する接地領域と、
前記防水ケースが備える前記接触部材の他端部と前記操作検知部との距離の変化に基づき、前記操作検知部が検知する静電容量の変化量を検出する変化量検出部と、
前記変化量検出部が検出した前記静電容量の変化量に基づき、水深を検出する水深検出部と、
を有する電子機器。
（７）前記操作検知部はタッチパネルである前記（６）記載の電子機器。
（８）画像を表示する表示部と、
前記水深検出部が検出した水深を前記表示部に表示させる水深の表示画像を生成する画像生成部と、
をさらに有する前記（６）または（７）に記載の電子機器。
（９）筐体部と、前記筐体部内に設けられた接触部材と、前記筐体部に外部から内部に貫通して往復自在に設けられ、水中環境からの水圧に応じて前記接触部材を内部側に押圧する受圧部材と、を有する防水ケースと、
前記防水ケースの前記筐体部に収納されて、前記接触部材の一端部と容量結合する接地領域と、前記接触部材の他端部と対向する静電容量方式で操作入力を検知する操作検知部と、前記受圧部材により押圧された前記接触部材の他端部と前記操作検知部との距離の変化に基づき、前記操作検知部が検知する静電容量の変化量を検出する変化量検出部と、前記変化量検出部が検出した前記静電容量の変化量に基づき、水深を検出する水深検出部と、を有する電子機器と、
を有する水深検出装置。
【符号の説明】
【０１３１】
２０……防水ケース、４０……リアケース、４１，４３……アイコン操作入力部、４１ａ，４３ａ……操作ボタン、４２……視認用窓、４４……水圧検知窓、４４ａ……仕切り部材、４４ｂ……弾性部材、５０……水圧検知部、５１……受圧板、５２……支持軸、５３……連結部材、５３ａ……連結部、５３ｂ……結合部、５４……接触部材、５４ａ……接触操作部、５４ｂ……傾斜連結部、５４ｃ……ヒンジ部、５４ｄ……機器接触部、５４ｅ……保持部、２１０……静電容量情報取得部、２２０……静電容量情報保持部、２３０……静電容量変化量検出部、２４０……水深情報保持部、２５０……水深検出部、２６０……警告表示判別部、２７０……ＯＳＤ画像生成部、２８０……画像記録処理部
【図１】
2013238675.tif 000003
【図２】
2013238675.tif 000004
【図３】
2013238675.tif 000005
【図４】
2013238675.tif 000006
【図５】
2013238675.tif 000007
【図６】
2013238675.tif 000008
【図７】
2013238675.tif 000009
【図８】
2013238675.tif 000010
【図９】
2013238675.tif 000011